(57)【要約】【課題】ハイヤーレイヤシグナリングによりCIFのON/OFFが切り替えられる過渡期又はコンポーネントキャリアのアグリゲーション数が追加／削減される過渡期においても、通信を維持すること。【解決手段】基地局装置２０と移動端末装置１０との間の通信に割当てる周波数帯域をコンポーネントキャリア単位で追加または削除するＬＴＥ−Ａシステムと、基地局装置２０と移動端装置１０との間で固定した１つの基本周波数ブロックを介して通信するＬＴＥシステムとが重複して配置された無線通信システムであり、ＬＴＥ-Ａシステムにおいて前記移動端末装置１０に割当てられたコンポーネントキャリアの中の１つをアンカーブロックに定め、当該アンカーブロックでは、前記ＬＴＥシステムと同様の動作を補償することとした。【選択図】図１
2011166701.tif 000002
【特許請求の範囲】
【請求項１】
基地局装置とユーザ端末との間の通信に割当てる周波数帯域を基本周波数ブロック単位で追加または削除する第１の通信システムと、基地局装置とユーザ端末との間で固定した１つの基本周波数ブロックを介して通信する第２の通信システムとが重複して配置された無線通信システムであり、
前記第１の通信システムにおいて前記ユーザ端末に割当てられた基本周波数ブロックの中の１つをアンカーブロックに定め、当該アンカーブロックでは、前記第２の通信システムと同様の動作を補償することを特徴とする無線通信システム。
【請求項２】
前記第１の通信システムは、前記ユーザデータ送信用の共有データチャネルと当該共有データチャネル復調用の下りリンク制御情報とが同一又は異なる基本周波数ブロックにマッピングされるようにリソースが割当てられ、前記共有データチャネルがマッピングされている基本周波数ブロックのキャリアインジケータを前記下りリンク制御情報に付加するか否かが制御され、
前記アンカーブロックでは、前記アンカーブロックにマッピングされた前記共有データチャネルを復調するための下りリンク制御情報であって、前記キャリアインジケータが付加されない下りリンク制御情報が当該アンカーブロックの制御チャネル領域にマッピングされることを特徴とする請求項１記載の無線通信システム。
【請求項３】
前記第１の通信システムにおいて、前記ユーザ端末に割当てた各基本周波数ブロックの制御チャネル領域にマッピングする前記下りリンク制御情報に対して前記キャリアインジケータを付加する場合、前記アンカーブロックにはキャリアインジケータを付加した下りリンク制御情報、及びキャリアインジケータを付加していない下りリンク制御情報をそれぞれマッピングすることを特徴とする請求項２記載の無線通信システム。
【請求項４】
基地局装置とユーザ端末との間の通信に割当てる周波数帯域を基本周波数ブロック単位で追加または削除する第１の通信システムと、基地局装置とユーザ端末との間で固定した１つの基本周波数ブロックを介して通信する第２の通信システムとが重複して配置された無線通信システムにおける基地局装置であり、
前記第１の通信システムにおいて前記ユーザ端末に割当てられた基本周波数ブロックの中の１つをアンカーブロックに定め、当該アンカーブロックでは、前記第２の通信システムと同様の動作を補償することを特徴とする基地局装置。
【請求項５】
前記ユーザデータ送信用の共有データチャネルと当該共有データチャネル復調用の下りリンク制御情報とが同一又は異なる基本周波数ブロックにマッピングされるようにリソースを割当てる手段と、
前記共有データチャネルがマッピングされている基本周波数ブロックのキャリアインジケータを前記下りリンク制御情報に付加するか否か制御する手段と、
前記アンカーブロックでは、前記キャリアインジケータの有無にかかわらず、前記アンカーブロックにマッピングされた前記共有データチャネルを復調するための下りリンク制御情報であって前記キャリアインジケータが付加されない下りリンク制御情報を当該アンカーブロックの制御チャネル領域にマッピングする手段と、
を具備したことを特徴とする請求項４記載の基地局装置。
【請求項６】
基地局装置とユーザ端末との間の通信に割当てる周波数帯域を基本周波数ブロック単位で追加または削除する第１の通信システムと、基地局装置とユーザ端末との間で固定した１つの基本周波数ブロックを介して通信する第２の通信システムとが重複して配置された無線通信システムにおけるユーザ端末であり、
前記基地局装置から割当てられた基本周波数ブロックの中の１つが、前記第２の通信システムと同様の動作を補償するアンカーブロックに定められ、当該アンカーブロックでは、前記第２の通信システムにしたがって下りリンクの受信処理を行うことを特徴とするユーザ端末。
【請求項７】
基地局装置とユーザ端末との間の通信に割当てる周波数帯域を基本周波数ブロック単位で追加または削除する第１の通信システムと、基地局装置とユーザ端末との間で固定した１つの基本周波数ブロックを介して通信する第２の通信システムとが重複して配置された無線通信システムであり、
前記第１及び第２の通信システムでは、前記基本周波数ブロックの下り制御チャネル領域に、ユーザ端末間で共通の共通サーチスペースとユーザ端末間で個別のユーザ個別サーチスペースとが割当てられ、
前記基地局装置は、
同一セルに接続している複数のユーザ端末が受信する必要のあるユーザ共通制御情報を前記共通サーチスペースにマッピングし、
各ユーザ端末が個別に受信する必要のあるユーザ固有制御情報を、第１の通信システムに対応した構成で、前記ユーザ個別サーチスペースにマッピングし、
さらに、各ユーザ端末が個別に受信する必要のあるユーザ固有制御情報を、前記第２の通信システムと同様の動作を補償する構成に固定して前記共通サーチスペースにマッピングする、
ことを特徴とする無線通信システム。
【請求項８】
前記基地局装置は、前記第１の通信システムに対応したユーザ個別制御情報構成として、当該ユーザ個別制御情報を用いて復調される共有データチャネルがマッピングされている基本周波数ブロックのキャリアインジケータを含むことを特徴とする請求項７記載の無線通信システム。
【発明の詳細な説明】
【技術分野】
【０００１】
本発明は、複数の基本周波数ブロック（以下、「コンポーネントキャリア（Component  Carrier）」という）に分割されたシステム帯域において、選択された１つ又は複数のコンポーネントキャリアを用いて信号を伝送する無線通信システムに関し、特に下りリンクの信号を生成する基地局装置及び基地局装置から下りリンクの信号を受信するユーザ端末に関する。
【背景技術】
【０００２】
Ｗ−ＣＤＭＡ（Wideband  Code  Division  Multiple  Access）やＨＳＤＰＡ(High  Speed  Downlink  Packet  Access)の後継となる通信方式、すなわちロングタームエボリューション（ＬＴＥ：Long  Term  Evolution）が、Ｗ−ＣＤＭＡの標準化団体３ＧＰＰにより定められ、無線アクセス方式として、下りリンクについてはＯＦＤＭＡ（Orthogonal  Frequency  Division  Multiple  Access）、上りリンクについてはＳＣ−ＦＤＭＡ（Single-Carrier  Frequency  Division  Multiple  Access）が採用された。現在、３ＧＰＰではＬＴＥの後継システムが検討されている（ＬＴＥアドバンスト（ＬＴＥ−Ａ又はRelease  10）。
【０００３】
ＬＴＥシステムは、上りリンク、下りリンクともに１つないし２つ以上の物理チャネルを複数の移動局ＵＥで共有して通信を行うシステムである。複数の移動局ＵＥで共有されるチャネルは、一般に共有チャネルと呼ばれ、ＬＴＥにおいては、上りリンクにおけるPUSCH（physical  uplink  shared  channel）であり、下りリンクにおけるPDSCH（Physical  Downlink  Shared  Channel）である。
【０００４】
上述したような共有チャネルを用いた通信システムでは、送信時間単位であるサブフレーム（Subframe）毎に、どの移動局UEに対して上記共有チャネルを割り当てるかをシグナリングする必要がある。サブフレームは、送信時間間隔（TTI）と呼ばれてもよい。
【０００５】
ＬＴＥでは、上記シグナリングのために用いられる下りリンク制御チャネルとして、PDCCH（Physical  Downlink  Control  Channel）が定められており、さらにPDCCHに用いられるＯＦＤＭシンボル数を通知する制御チャネルとしてPCFICH  (Physical  Control  Format  Indicator  Channel)、PUSCHに対するハイブリッドＡＲＱのＡＣＫもしくはＮＡＣＫ情報を伝送する制御チャネルとしてPHICH（Physical  Hybrid-ARQ  Indicator  Channel)が定められている。
【０００６】
PDCCHで送信される下りリンク制御情報には、例えば、Downlink  Scheduling  Information、UL  Scheduling  Grant、Overload  Indicator、Transmission  Power  Control  Command  Bitが含まれる。また、Downlink  Scheduling  Informationには、例えば、下りリンクのリソースブロック（Resource  Block）の割り当て情報、ＵＥのＩＤ、ストリームの数、プリコーディングベクトル（Precoding  Vector）に関する情報、データサイズ、変調方式、HARQ（Hybrid  Automatic  Repeat  reQuest）に関する情報が含まれる。また、上記Uplink  Scheduling  Grantには、例えば、上りリンクのResource  Blockの割り当て情報、ＵＥのＩＤ、データサイズ、変調方式、上りリンクの送信電力情報、Demodulation  Reference  Signalの情報が含まれる。
【０００７】
上記PCFICHは、PDCCHのフォーマットを通知する情報であり、具体的には、このPCFICHにより、PDCCHがマッピングされるＯＦＤＭシンボルの数が制御チャネルフォーマット情報（ＣＦＩ：Control  channel  Format  Indicator）として通知される。ＬＴＥにおいては、PDCCHがマッピングされるＯＦＤＭシンボルの数は１、２、３のいずれかであり、また、PDCCHは、１サブフレームにおいて、先頭のＯＦＤＭシンボルからマッピングされる。
【０００８】
下りリンクにおいて、サブフレームの先頭からPCFICHで通知されたＯＦＤＭシンボル数（ＣＦＩ値）に対応した範囲が、PDCCHに割り当てられた制御チャネル領域となる。移動局は、制御チャネル領域を復号して自分宛の情報があれば、さらに下りリンク制御情報に基づいてPDSCHに割り当てられた無線リソースを特定して復号する。
【０００９】
一方、現在、３ＧＰＰにおいて検討が進められているＬＴＥ−Ａでは、複数のコンポーネントキャリアを寄せ集めて広帯域化することが合意されている。一部のコンポーネントキャリアは他セルからの干渉が強いが、別のコンポーネントキャリアは干渉の影響が少ないといった通信環境が発生し得る。そこで、他セルからの干渉が強いコンポーネントキャリアで送られる共有データチャネル（PDSCH/PUSCH）に関する下りリンク制御情報（DCI：Downlink  Control  Information)の割当てを、干渉の影響の少ない別のコンポーネントキャリアから行う仕組みが検討されている。現段階で、下りリンク制御情報（DCI：Downlink  Control  Information)にキャリア識別子(Carrier  Indicator)を設定するためのビットフィールド（CIF:  Carrier  Indicator  Field)）を付加すること、移動局（ＵＥ：User  Equipment）毎にCIFの有／無を基地局装置（e-NodeB）からRRCシグナリングにより通知すること、CIFは３ビットであること、が合意されている。
【先行技術文献】
【非特許文献】
【００１０】
【非特許文献１】３GPP,R-1100361,Panasonic、“Further  discussion  on  PDCCH  with  cross  carrier  operation”
【非特許文献２】3GPP,R2-080762,Ericsson,“Synchronized  RRC  re-configuration”
【発明の概要】
【発明が解決しようとする課題】
【００１１】
しかしながら、基地局装置から移動局に対してRRCシグナリングによりCIFの有／無を通知した場合、基地局装置がRRCシグナリング(RRC  reconfiguration)を送信してからComplete  messageを受信するまでの区間（例えば、最大１５ｍｓ）、基地局装置では移動局がどちらの状態（RRC  シグナリングの受信前/後）にあるか不明である。
【００１２】
たとえば、DCI構成がCIFが付加されていない構成（CIF“OFF”）からCIFが付加された構成（CIF“ON”）への切り替えを要求するケースでは、次のような不都合が発生する可能性がある。CIF“OFF”からCIF“ON”への切り替えを要求するRRCシグナリング(RRC  reconfiguration)の受信に移動局が失敗して再送を要求しているところに、CIFが付加されたDCI構成が送られる。この場合、移動局は切替え前のCIF“OFF”のDCIビット数に基づいてブラインドデコーディングにトライするが、CIF“ON”のDCI構成はビット数が異なるためにブラインドデコーディングに失敗する。その結果、PDSCHを復調できない不具合が生じる。CIF“ON”からCIF“OFF”への切り替えを要求する場合も同様の不具合が生じる可能性がある。
【００１３】
また、コンポーネントキャリアのアグリゲーション数が切り替わる過渡期においても同様の不都合が発生する可能性がある。基地局装置から移動局に対してRRCシグナリングによりコンポーネントキャリアの追加／削減を通知する。このとき、基地局装置がRRCシグナリング(RRC  reconfiguration)を送信してからComplete  messageを受信するまでの区間、基地局装置では移動局がどちらの状態（RRC  シグナリングの受信前/後）にあるか確定しない。コンポーネントキャリアを追加／削減する場合、CIFの３ビットの値がどのコンポーネントキャリアインデックスかを示すテーブル内容をRRCシグナリングで通知することになるが、コンポーネントキャリアのアグリゲーション数が変わるとテーブル内容が変化することが考えられる。この場合、基地局装置は、移動局がコンポーネントキャリアインデックスを特定するために参照しているテーブルがいずれのテーブルであるのか不明であるので、移動局がコンポーネントキャリアを誤認識する可能性がある。
【００１４】
本発明は、かかる点に鑑みてなされたものであり、ハイヤーレイヤシグナリングによりCIFのON/OFFが切り替えられる過渡期又はコンポーネントキャリアのアグリゲーション数が追加／削減される過渡期においても、安定して通信を維持することができる無線通信システム、基地局装置及びユーザ端末を提供することを目的とする。
【課題を解決するための手段】
【００１５】
本発明の一つの側面は、基地局装置とユーザ端末との間の通信に割当てる周波数帯域を基本周波数ブロック単位で追加または削除する第１の通信システムと、基地局装置とユーザ端末との間で固定した１つの基本周波数ブロックを介して通信する第２の通信システムとが重複して配置された無線通信システムであり、前記第１の通信システムにおいて前記ユーザ端末に割当てられた基本周波数ブロックの中の１つをアンカーブロックに定め、当該アンカーブロックでは、前記第２の通信システムと同様の動作を補償することとした。
【００１６】
本発明によれば、ハイヤーレイヤシグナリングによりCIFのON/OFFが切り替えられる過渡期又はコンポーネントキャリアのアグリゲーション数が追加／削減される過渡期においても、アンカーブロックを介して第２の通信システムによる通信を維持できる。
【００１７】
本発明の他の側面は、基地局装置とユーザ端末との間の通信に割当てる周波数帯域を基本周波数ブロック単位で追加または削除する第１の通信システムと、基地局装置とユーザ端末との間で固定した１つの基本周波数ブロックを介して通信する第２の通信システムとが重複して配置された無線通信システムであり、前記第１及び第２の通信システムでは、前記基本周波数ブロックの下り制御チャネル領域に、ユーザ端末間で共通の共通サーチスペースとユーザ端末間で個別のユーザ個別サーチスペースとが割当てられ、前記基地局装置は、同一セルに接続している複数のユーザ端末が受信する必要のあるユーザ共通制御情報を前記共通サーチスペースにマッピングし、各ユーザ端末が個別に受信する必要のあるユーザ固有制御情報を、前記第１の通信システムに対応した構成で、前記ユーザ個別サーチスペースにマッピングし、さらに、各ユーザ端末が個別に受信する必要のあるユーザ固有制御情報を、前記第２の通信システムと同様の動作を補償する構成に固定して前記共通サーチスペースにマッピングすることを特徴とする。
【００１８】
本発明によれば、ハイヤーレイヤシグナリングによりCIFのON/OFFが切り替えられる過渡期又はコンポーネントキャリアのアグリゲーション数が追加／削減される過渡期においても、第２の通信システムと同様の動作を補償する構成に固定したユーザ固有制御情報がマッピングされている共通サーチスペースを介した通信が可能になる。
【発明の効果】
【００１９】
本発明によれば、ハイヤーレイヤシグナリングによりCIFのON/OFFが切り替えられる過渡期又はコンポーネントキャリアのアグリゲーション数が追加／削減される過渡期においても、安定して通信を維持できる。
【図面の簡単な説明】
【００２０】
【図１】ＬＴＥ−Ａで定められた階層型帯域幅構成を示す図である。
【図２】実施の形態に係る移動通信システムの全体図である。
【図３】実施の形態に係る基地局装置の概略的な構成図である。
【図４】実施例に係る移動端末装置の概略的な構成図である。
【図５】実施例に係る基地局装置のベースバンド信号処理部における送信処理部の機能ブロック図である。
【図６】実施例に係る移動端末装置が有するベースバンド信号処理部の機能ブロック図である。
【図７】コンポーネントキャリアの追加及びCIF構成変更があった場合のシーケンス図である。
【図８】干渉の大きいコンポーネントキャリアの下り共有チャネルのためのDCIを、他のコンポーネントキャリアに多重する模式図である。
【図９】（Ａ）CIF“OFF”の場合における、e-NodeBとUE#1との間の通信用に割当てられた３つのコンポーネントキャリアの模式図、（Ｂ）CIF“ON”の場合における、e-NodeBとUE#1との間の通信用に割当てられた３つのコンポーネントキャリアの模式図である。
【図１０】２種類のサーチスペースを説明するための図である。
【図１１】共通サーチスペース及びユーザ個別サーチスペースへ配置するＤＣＩフォーマット種別を説明するための図である。
【図１２】ユーザに対するコンポーネントキャリアの割り当てに変更があった場合のシーケンス図である。
【図１３】（Ａ）コンポーネントキャリア数＝４に対応したCIFテーブルの構成図、（Ｂ）コンポーネントキャリア数＝２に対応したCIFテーブルの構成図である。
【図１４】DCIがPDCCHの所定領域にマッピングされるまでの処理工程図である。
【図１５】受信機におけるデマッピング及びCCEデインタリーブの概念図である。
【図１６】下りリンクアンカーキャリアの構成例を示す図である。
【図１７】セル固有UL/DLペアを有しないコンテンションRACHを示す図である。
【発明を実施するための形態】
【００２１】
図１は、ＬＴＥ−Ａで定められた階層型帯域幅構成を示す図である。図１に示す例は、複数のコンポーネントキャリア（CC）で構成される第１システム帯域を持つ第１移動通信システムであるＬＴＥ−Ａシステムと、１コンポーネントキャリアで構成される第２システム帯域を持つ第２移動通信システムであるＬＴＥシステムが併存する場合の階層型帯域幅構成である。ＬＴＥ−Ａシステムにおいては、例えば、１００MHz以下の可変のシステム帯域幅で無線通信し、ＬＴＥシステムにおいては、２０MHz以下の可変のシステム帯域幅で無線通信する。ＬＴＥ−Ａシステムのシステム帯域は、ＬＴＥシステムのシステム帯域を一単位とする少なくとも一つのコンポーネントキャリアを含む。このように複数のコンポーネントキャリアを集めて広帯域化することをキャリアアグリゲーションという。
【００２２】
例えば、図１においては、ＬＴＥ−Ａシステムのシステム帯域は、ＬＴＥシステムのシステム帯域（ベース帯域：２０MHz）を一つのコンポーネントキャリアとする５つのコンポーネントキャリアの帯域を含むシステム帯域（２０MHz×５＝１００MHz）となっている。図１においては、移動端末装置ＵＥ（User  Equipment）＃１は、ＬＴＥ−Ａシステム対応（ＬＴＥシステムにも対応）の移動端末装置であり、１００MHzまでのシステム帯域に対応可能である。ＵＥ＃２は、ＬＴＥ−Ａシステム対応（ＬＴＥシステムにも対応）の移動端末装置であり、４０MHz（２０MHz×２＝４０MHz）までのシステム帯域に対応可能である。ＵＥ＃３は、ＬＴＥシステム対応（ＬＴＥ−Ａシステムには対応せず）の移動端末装置であり、２０MHz（ベース帯域）までのシステム帯域に対応可能である。
【００２３】
本発明者は、ＬＴＥ−ＡシステムにおいてCIFのON/OFFが切り替えられる過渡期又はコンポーネントキャリアのアグリゲーション数が追加／削減される過渡期においてCIFのON/OFFの切り替え又はコンポーネントキャリアのアグリゲーション数が不確定な状態となることに着目し、CIFのON/OFFの切り替え又はコンポーネントキャリアのアグリゲーション数が不確定な状態でも通信できる構成を考察して本発明に到達した。
【００２４】
本発明の一側面は、ＬＴＥ−Ａシステムにおいて、ユーザに割当てたコンポーネントキャリアから１つをアンカーキャリアとして選定し、アンカーキャリアはＬＴＥ（Release  8）と同様の動作を補償すると定義する。基地局装置は移動局に対してアンカーキャリアにおいてＬＴＥと同様の動作を補償するために、ＬＴＥと同一構成のDCIをシグナリングし、移動局はアンカーキャリアの下り制御チャネル領域からDCIをブラインドデコーディングする。
【００２５】
これにより、CIFのON/OFFが切り替えられる過渡期又はコンポーネントキャリアのアグリゲーション数が追加／削減される過渡期であっても、アンカーキャリアを介した通信ではＬＴＥと同様の動作が補償されるので、通信を維持することができる。
【００２６】
以下、ＬＴＥ（Release  8）と同様の動作を補償すると定義したアンカーキャリアを介した通信について具体的に説明する。
図７はRRCシグナリングによりコンポーネントキャリアの追加、DCI構成についてCIF“OFF”からCIF“ON”への切り替えを通知するシーケンス図である。図７に示されるe-NodeBは基地局装置であり、UE#1は基地局装置と通信中の移動端末装置である。
【００２７】
初期段階では、UE#1には１つのコンポーネントキャリアＣＣ＃１のみが割り当てられ、割り当てられたコンポーネントキャリアＣＣ＃１を介して、e-NodeBとUE#1との間で通信が開始される。この時点でCIF“OFF”のDCI構成である。
【００２８】
UE#1との通信に割当てるコンポーネントキャリアを１つ追加する場合、e-NodeBがUE#1に対して追加するコンポーネントキャリア番号を指定したRRCシグナリング(RRC  reconfiguration：CC  addition)を送信する。UE#1はRRCシグナリングされたコマンド（CC  addition）を受けて２つのコンポーネントキャリアCC#1,CC#2を介した通信に対応した準備をする。２つのコンポーネントキャリアCC#1,CC#2に対する対応が完了すると、Complete  messageをe-NodeBへ返信する。e-NodeBはUE#1に対してRRCシグナリング(RRC  reconfiguration)を送信してからComplete  messageを受信するまでの区間T1の間は、UE#1が２つのコンポーネントキャリアCC#1,CC#2を介した通信に対応できるのか否か不明である。
【００２９】
本発明は、ユーザに割当てたコンポーネントキャリアから１つをアンカーキャリアとして選定し、アンカーキャリアはＬＴＥの動作を補償すると定義し、UE#1に割り当てられているコンポーネントキャリアの１つをアンカーキャリアであるとe-NodeBとUE#1との間で相互に認識する。e-NodeBは、UE#1との間の通信に使用するコンポーネントキャリア数を追加する場合、少なくとも区間T1の間はUE#1との間でアンカーキャリアを介して通信する。すなわち、コンポーネントキャリア数が不確定な区間T1において、ＬＴＥの動作が補償されている、言い換えればCIF“OFF”のDCI構成が固定されているアンカーキャリアを介してＬＴＥによる通信を維持する。
【００３０】
e-NodeBとUE#1との間の通信に使用するコンポーネントキャリア数を削減する場合も、コンポーネントキャリア数を追加する場合と同様に、RRCシグナリング(RRC  reconfiguration)を送信してからComplete  messageを受信するまでの区間は、コンポーネントキャリア数が不明確な時間帯である。そこで、e-NodeBとUE#1との間の通信開始後にコンポーネントキャリア数を削減する場合も、ＬＴＥの動作が補償されたアンカーキャリアを介して通信することで、通信を維持することができる。
【００３１】
また、e-NodeBとUE#1との間の通信に使用するコンポーネントキャリア数（キャリアアグリゲーション数）を増加して広帯域化した場合、図８に示すように、干渉の大きいコンポーネントキャリアCC#2で送られる下り共有チャネルのための下りリンク制御情報（DCI＃２）を、干渉の小さい別のコンポーネントキャリアCC#1の下り制御チャネルに多重して送信することができる。
【００３２】
このとき、下りリンク制御情報（DCI＃２）がどちらのコンポーネントキャリア（CC#1またはCC#2）に対する下り共有チャネルのための情報であるかを識別するために、キャリア識別子（ＣＩ）を付加したDCI構成が適用される。キャリア識別子（ＣＩ）を表すフィールドがCIFである。すなわち、あるコンポーネントキャリアのデータ領域に多重される共有データチャネル復調用のDCIを、他のコンポーネントキャリアの制御チャネル領域に多重する場合、復調すべき共有データチャネルが多重されているコンポーンネトキャリアの番号（CCインデックス）を表すCIFがDCI構成に付加される（CIF“ON”）。以下の説明では、CIFが付加されたDCI構成をCIF構成と呼ぶ場合がある。
【００３３】
DCI構成をCIF構成に切り替える場合、e-NodeBがUE#1に対してCIF“ON”を要求するRRCシグナリング(RRC  reconfiguration：CIF  configuration)を送信する。UE#1はRRCシグナリング(RRC  reconfiguration）に対応してブラインドデコーディング時のDCI構成をCIF構成に切り替える。UE#1はCIF構成への対応が完了すると、Complete  messageをe-NodeBへ返信する。e-NodeBはUE#1に対してRRCシグナリング(RRC  reconfiguration)を送信してからComplete  messageを受信するまでの区間T2の間は、UE#1がCIF構成への対応が可能か否か不明である。
【００３４】
本発明は、上記した通り、ユーザに割当てたコンポーネントキャリアから１つをアンカーキャリアとして選定し、アンカーキャリアはＬＴＥの動作を補償すると定義し、e-NodeBとUE#1との間でアンカーキャリアをそれぞれ認識している。e-NodeBは、少なくとも区間T2の間は、ＬＴＥの動作を補償するアンカーキャリアにおける制御チャネルに対してCIFが付加されていないDCI構成を有するDCIを多重する。UE#1はDCI構成をCIF構成へ切り替える前に、CIF構成の制御チャネルを受信しても、DCIビット数が異なるために、ブラインドデコーディングに失敗するが、本発明のようにアンカーキャリアで受信するDCIはＬＴＥ仕様（CIF“OFF”）であることが定義されるので、UE#1はアンカーキャリアで受信する制御チャネルからDCIをブラインドデコーディングすることができる。
【００３５】
DCI構成をCIF構成からＬＴＥ仕様のDCI構成へ変更する場合も、CIF構成に変更する場合と同様に不明確な時間帯が生じるが、ＬＴＥの動作が補償されたアンカーキャリアを介して通信することにより、UE#1はアンカーキャリアで受信する制御チャネルからDCIを正常にデコードすることができる。
【００３６】
なお、アンカーキャリアは、不確定な区間T1、T2以外の期間においてもＬＴＥの動作を補償するコンポーネントキャリアとして維持しておいても良い。また、アンカーキャリアはe-NodeBとUE#1との間の通信開始時に決めておき、通信終了まで固定しても良いし、通信開始後に通信環境に応じて動的に変更しても良い。
【００３７】
図９（Ａ）はCIF“OFF”の場合における、e-NodeBとUE#1との間の通信用に割当てられた３つのコンポーネントキャリアCC#1、CC#2、CC#3の模式図である。下りリンクでは、コンポーネントキャリアは、１サブフレームの先頭から１〜３ＯＦＤＭシンボルに制御チャネル領域(PDCCH等)が配置され、下り制御チャネル領域(PDCCH)の後に下り共有チャネル領域（PDSCH等）が配置されている。制御チャネル領域にサーチスペース（SS）が設定され、サーチスペースにDCIが多重されている。各コンポーネントキャリアCC#1、CC#2、CC#3において、制御チャネル領域にサーチスペース（SS）にマッピングされているDCIは、同一コンポーネントキャリアの下り共有チャネル領域にマッピングされている下り共有チャネル用の制御情報である。図９（Ａ）では３つのコンポーネントキャリアCC#1、CC#2、CC#3から１つのアンカーキャリア（例えばCC#1)を選定し、アンカーキャリアCC#1ではＬＴＥと同様の動作を補償する。具体的には、アンカーキャリアCC#1の制御チャネル領域のサーチスペース（SS）はＬＴＥと同様に定められ、サーチスペースに多重されるDCI構成はＬＴＥで定められているフィールド構成とする。したがって、コンポーネントキャリア数を追加／削減する過渡期であっても、アンカーキャリアCC#1だけはＬＴＥと同様の動作が保障される。
【００３８】
図９（Ｂ）はCIF“ON”の場合における、e-NodeBとUE#1との間の通信用に割当てられた３つのコンポーネントキャリアCC#1、CC#2、CC#3の模式図である。同図（Ｂ）においても３つのコンポーネントキャリアCC#1、CC#2、CC#3から１つのコンポーネントキャリアCC#1がアンカーキャリアに選定されている。CIF“ON”の場合、各コンポーネントキャリアCC#1、CC#2、CC#3の制御チャネル領域に多重されるDCIにはCIFが付加されたCIF構成となる。アンカーキャリアCC#1では、ＬＴＥと同様の動作を補償するため、制御チャネル領域においてＬＴＥと同様に定められサーチスペース（SS）に、ＬＴＥで定められているフィールド構成を有するDCIが多重されている。したがって、移動局は、アンカーキャリアCC#1の制御チャネル領域において、ＬＴＥと同様にブラインドデコーディングすることでDCIを復調することができる。図９（Ｂ）に示す例では、アンカーキャリアCC#1の制御チャネル領域に、ＬＴＥと同様のフィールド構成を有するDCI構成とCIFが付加されたDCI構成とが混在している。
【００３９】
ここで、複数のコンポーネントキャリアをキャリアアグリゲーションする場合、下りリンクのキャリアと上りリンクのキャリアとをリンクさせることが、RAN１  ＃５９（３GPP  TSG  RAN  WG1  Meeting）で合意されている。最初に、ユーザ端末との通信のために、セル固有の上りリンク及び下りリンクのペアが同一のコンポーネントキャリア（ＤＬ/ＵＬ＃０）に割り当てられ、このコンポーネントキャリア上でユーザ固有の上りリンク及び下りリンクのペアが確立される。その後、ユーザ固有の下りリンクに対して他のコンポーネントキャリア＃１が割り当てられると、ユーザ固有の下りリンクにコンポーネントキャリア＃１が追加される。そして、コンポーネントキャリアの追加／削除に制限がなければ、旧コンポーネントキャリア＃０に対するセル固有及びユーザ固有のリンクが解消される。
【００４０】
上記のように、下りリンクと上りリンクとで個別にコンポーネントキャリアを割当て可能なシステム構成において、下りリンクのコンポーネントキャリアのいずれか１つをアンカーキャリアに選定する。下りリンクのアンカーキャリアの選定には、図１６（Ａ）（Ｂ）（Ｃ）に示す３つの方法が考えられる。なお、同図において点線は、セル固有の上りリンク及び下りリンクのペアを示し、実線はユーザ固有の上りリンク及び下りリンクのペアを示している。
【００４１】
第１の方法は、下りリンクのコンポーネントキャリアからはアンカーキャリアを選定しない（図１６（Ａ））。
第２の方法は、セル固有の上りリンク及び下りリンクのペアを構成しているコンポーネントキャリアは、下りリンクのアンカーキャリアに選定しない（図１６（Ｂ））。
第３の方法は、セル固有の上りリンク及び下りリンクのペアを構成しているコンポーネントキャリアを、下りリンクのアンカーキャリアに選定する（図１６（Ｃ））。
【００４２】
（contention  RACH）
上りリンク及び下りリンクのアンカーキャリアペアとしては、図１６（Ｃ）に示す第３の方法が使用され得る。一方で、図１６（Ａ）に示す第１の方法及び図１６（Ｂ）に示す第２の方法においては、セル固有の上りリンク及び下りリンクのペア構成していない。このため、一つのセル固有の上りリンク及び下りリンクのペアをcontention  RACHに用いることが好ましい。したがって、第１及び第２の方法の場合においては、RACH手順の前に、UEが、上りリンクとセル固有でリンクする下りリンクキャリア用のシステム情報（ＳＩ）を取得する必要がある（図１７参照）。
【００４３】
（Non-contention  RACH）
Non-contention  RACHの場合も、contention  RACHと同様に、上りリンク及び下りリンクのアンカーキャリアペアとしては、図１６（Ｃ）に示す第３の方法が使用され得る。この場合においては、セル固有の上りリンク及び下りリンクペアが常に使用されるので、基地局のみが、同じ上りリンク及び下りリンクペアを使用する他のUEを考慮して、プリアンブルシーケンスを選択する。さらに、この場合においては、同じペアを用いるサブフレームでいくつかのUE用のRACH応答を送ることもできる。一方で、図１６（Ａ）に示す第１の方法及び図１６（Ｂ）に示す第２の方法においては、上りリンク及び下りリンクペアがUE固有であり、UE固有のペアを考慮してプリアンブルシーケンスを慎重に選択しなければならない。さらに、この場合においては、RACH応答も慎重に行う必要がある。
【００４４】
本発明の他の側面は、PDCCHの共通サーチスペースに、DCI（フォーマット１Ａ）が用意されていることに着目し、共通サーチスペースのDCI（フォーマット１Ａ）についてはＬＴＥと同様の動作を補償することとした。
【００４５】
ＬＴＥでは、共通サーチスペースに配置するDCI構成として、DCIフォーマット０／３／３ＡとDCIフォーマット１Ａ／１Ｃとが定められている。DCIフォーマット０は上りPUSCHのスケジューリング情報、DCIフォーマット３／３Ａは複数ユーザへの２ビット／１ビット送信電力コマンドを送信するためフォーマットであるので、下りリンク制御情報用に利用することは難しい。一方、DCIフォーマット１は、PDSCHのスケジューリング情報（フレキシブルRB配置）、DCIフォーマット１Ａは、PDSCHのスケジューリング情報（コンパクトスケジューリング）を送信するためのフォーマットであるので、下りリンク制御情報の送信に用いることができる。
【００４６】
そこで、共通サーチスペースに多重されるDCIフォーマット１又は１ＡはＬＴＥと同様の動作を補償するアンカーＤＣＩに選定し、CIFの“ON”時においても共通サーチスペースのアンカーＤＣＩ（DCIフォーマット１又は１Ａ）にはCIFを付加しないように制御する。
【００４７】
共通サーチスペースに多重されるDCIフォーマット０／３／３ＡとアンカーＤＣＩとは同一ビット数であることが望ましい。たとえば、DCIフォーマット３とDCIフォーマット１Ａの組み合わせは、同一ビット数になるので、移動局では１回のブライドデコーディングで復調を完了できる。
【００４８】
これにより、CIFのON/OFFが切り替えられる過渡期であっても、DCI構成がＬＴＥと同様の構成を保持するアンカーＤＣＩが存在する共通サーチスペースを介した通信が可能になる。
【００４９】
以下、ＬＴＥ（Release  8）と同様の動作を補償するアンカーＤＣＩが存在する共通サーチスペースを介した通信について具体的に説明する。
図１０にブラインドデコーディングする範囲となる２種類のサーチスペースを例示している。上記した通り、ＬＴＥでは２種類のサーチスペースが規定されている。ユーザ共通制御情報は、同一セルに接続している全てのユーザ端末が同時に受信する必要のある情報を伝送する制御チャネルであり、報知情報，ページング情報，送信電力制御信号送信用のリソース割当情報などが伝送される。ユーザ固有制御情報は、１ユーザ端末のみ受信する必要のある情報を伝送する制御チャネルであり、上下リンクの共有データチャネル送信のためのリソース割当情報などが伝送される。図１０に示されるように、上記２種類の制御情報に対応して共通サーチスペースとユーザ個別サーチスペースの２種類のサーチスペースが定義されている。共通サーチスペースは、全てのユーザ端末で共通の位置に配置されている（先頭の２CCEであるCCE#1、CCE#2に配置）。ユーザ個別サーチスペースは、ユーザ端末で独立の位置に配置されている（ユーザID及びサブフレーム番号によりランダムに配置）。特に、共通サーチスペースは、２種類のフォーマット（１Ａ，１Ｃ）をサポートし、セル端のユーザ端末も高品質に受信できるようにするため、４，８CCEアグリゲーションのみを用いる。ブラインドデコーディング数はそれぞれ４，２となる。本発明は共通サーチスペースでサポートするDCIフォーマット１ＡをアンカーＤＣＩに選定し、アンカーＤＣＩではＬＴＥと同様の動作を補償し、ユーザ個別にアンカーＤＣＩをシグナリングする。
【００５０】
図１１は共通サーチスペース及びユーザ個別サーチスペースへ配置するＤＣＩフォーマット種別を説明するための図である。
共通サーチスペース（CCE＃１）にDCIフォーマット３とDCIフォーマット１Aの２つのDCIが配置されている。このうちのPDSCHスケジューリング情報送信用のフォーマットを有するDCI（フォーマット１A）をアンカーＤＣＩに選定する。アンカーＤＣＩに選定したDCI（フォーマット１A）はＬＴＥと同様の動作を補償するため、CIF“ON”時であってもにCIFは付加しないように制御する。
【００５１】
共通サーチスペース（CCE＃１）に配置されるDCI（フォーマット３）とDCI（フォーマット１A）には異なるユーザIDが付与される。具体的には、一方のDCI（フォーマット３）はセル内の全ユーザで共通の情報であるので全ユーザ共通のユーザIDでCRC部分がマスク（例えば排他論理和をとる）されている。アンカーＤＣＩとなる他方のDCI（フォーマット１A）はユーザ個別のユーザIDでCRC部分がマスクされる。アンカーＤＣＩは、ユーザＩＤが一致する個別ユーザでのみ復調できる。アンカーＤＣＩ（DCIフォーマット１A）の復調に成功したユーザ端末は自分宛の下りリンク制御情報を取得することに成功する。このとき、２つのDCI（フォーマット３）とDCI（フォーマット１A）のビット数が同一であるので、ユーザ端末は１回のブラインドデコーディングにより共通サーチスペース（CCE＃１）に配置された２つのDCI（フォーマット３）とDCI（フォーマット１A）を復調できる。
【００５２】
ユーザ個別サーチスペース（CCE＃４）には、第１の組み合わせとして、フォーマット０とフォーマット１Aの２つのDCIが配置される。CIF“ON”の場合には、フォーマット０及びフォーマット１Aの双方のDCIに３ビットのCIFが付加されたCIF構成となる。またCIF“OFF”の場合には、ＬＴＥと同様の構成である、CIFが付加されないDCI構成となる。
【００５３】
フォーマット０とフォーマット１Aはビット数が同一であるので、ユーザ端末は１回のブラインドデコーディングによりユーザ個別サーチスペース（CCE＃４）に配置された２つのDCI（フォーマット０）とDCI（フォーマット１A）を復調できる。ユーザ端末は２つのDCI（フォーマット０）とDCI（フォーマット１A）の復調によりPUSCHのスケジューリング情報、PDSCHのスケジューリング情報を取得する。
【００５４】
なお、DCI（フォーマット０）とDCI（フォーマット１A）は、同一のユーザIDでCRC部分がマスクされているので、フォーマットを見わけるために、DCIに１ビットのフラグが付けられる。
【００５５】
また、ユーザ個別サーチスペース（CCE＃４）には、第２の組み合わせとして、フォーマット１Aとフォーマット１の２つのDCIが配置される。CIFのON／OFFによって、フォーマット１A及びフォーマット１の双方のDCIに３ビットのCIFが付加され／削除される。
【００５６】
フォーマット１Ａとフォーマット１はビット数が異なるので、ユーザ端末は２回のブラインドデコーディングによりユーザ個別サーチスペース（CCE＃４）に配置された２つのDCI（フォーマット１Ａ）とDCI（フォーマット１）を復調できる。ユーザ端末は２つのDCI（フォーマット０）とDCI（フォーマット１A）の復調によりPUSCHのスケジューリング情報、PDSCHのスケジューリング情報を取得する。
【００５７】
なお、DCIフォーマット１ＡとDCIフォーマット１は、同一のユーザIDでCRC部分がマスクされているが、ビット数が異なるので、フラグが無くてもフォーマットを見わけることが可能である。
【００５８】
また、ユーザ個別サーチスペース（CCE＃４）には、第３の組み合わせとして、フォーマット０とフォーマット１の２つのDCIが配置される。CIFのON／OFFによって、フォーマット０及びフォーマット１の双方のDCIに３ビットのCIFが付加され／削除される。
【００５９】
フォーマット０とフォーマット１はビット数が異なるので、ユーザ端末は２回のブラインドデコーディングによりユーザ個別サーチスペース（CCE＃４）に配置された２つのDCI（フォーマット０）とDCI（フォーマット１）を復調できる。DCI（フォーマット０）とDCI（フォーマット１）は、同一のユーザIDでCRC部分がマスクされているが、ビット数が異なるので、フラグが無くてもフォーマットを見わけることが可能である。
【００６０】
このように、共通サーチスペース（CCE＃１）に配置される２つのDCI（フォーマット３）とDCI（フォーマット１A）のうち、PDSCHのスケジューリング情報を送信可能なフォーマットが定義されているDCI（フォーマット１A）をアンカーＤＣＩに選定し、アンカーＤＣＩ（DCIフォーマット１A）でＬＴＥと同様の動作を補償することにより、CIFのON/OFFが切り替えられる過渡期であっても、サブフレームにＬＴＥと同様の構成を有するDCIを配置でき、アンカーＤＣＩが配置された共通サーチスペースを介した通信が可能になる。
【００６１】
以下、本発明の実施の形態について、添付図面を参照して詳細に説明する。ここでは、ＬＴＥ−Ａシステムに対応する基地局及び移動局を用いる場合について説明する。
【００６２】
図２を参照しながら、本発明の実施例に係る移動局（ＵＥ）１０及び基地局（Ｎｏｄｅ  Ｂ）２０を有する移動通信システム１について説明する。図２は、本実施例に係る移動局１０及び基地局２０及びを有する移動通信システム１の構成を説明するための図である。なお、図２に示す移動通信システム１は、例えば、ＬＴＥシステム或いは、ＳＵＰＥＲ  ３Ｇが包含されるシステムである。また、この移動通信システム１は、ＩＭＴ−Ａｄｖａｎｃｅｄと呼ばれても良いし、４Ｇと呼ばれても良い。
【００６３】
図２に示すように、移動通信システム１は、基地局装置２０と、この基地局装置２０と通信する複数の移動端末装置１０（１０１、１０２、１０３、・・・１０ｎ、ｎはｎ＞０の整数）とを含んで構成されている。基地局装置２０は、上位局装置３０と接続され、この上位局装置３０は、コアネットワーク４０と接続される。移動端末装置１０は、セル５０において基地局装置２０と通信を行うことができる。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００６４】
各移動端末装置（１０１、１０２、１０３、・・・１０ｎ）は、ＬＴＥ端末及びＬＴＥ−Ａ端末を含むが、以下においては、特段の断りがない限り移動端末装置１０として説明を進める。また、説明の便宜上、基地局装置２０と無線通信するのは移動端末装置１０であるものとして説明するが、より一般的には移動端末装置も固定端末装置も含むユーザ装置（ＵＥ：User  Equipment）でよい。
【００６５】
移動通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００６６】
ここで、ＬＴＥシステムにおける通信チャネルについて説明する。
下りリンクの通信チャネルは、各移動端末装置１０で共有されるPDSCHと、下りＬ１／Ｌ２制御チャネル（PDCCH、PCFICH、PHICH）とを有する。このPDSCHにより、ユーザデータ及び上位制御信号が伝送される。上位制御信号は、キャリアアグリゲーション数の追加／削減、CIF構成（CIFの“ON”“OFF”）を移動端末装置１０に対して通知するRRCシグナリングを含む。
【００６７】
上りリンクの通信チャネルは、各移動端末装置１０で共有して使用されるPUSCHと、上りリンクの制御チャネルであるPUCCH（Physical  Uplink  Control  Channel）とを有する。このPUSCHにより、ユーザデータが伝送される。また、PUCCHは、サブフレーム内周波数ホッピングが適用され、下りリンクの無線品質情報（ＣＱＩ:Channel  Quality  Indicator）、ＡＣＫ/ＮＡＣＫ等が伝送される。
【００６８】
図３を参照しながら、本実施の形態に係る基地局装置２０の全体構成について説明する。基地局装置２０は、送受信アンテナ２０１と、アンプ部２０２と、送受信部２０３と、ベースバンド信号処理部２０４と、呼処理部２０５と、伝送路インターフェース２０６とを備えている。
【００６９】
下りリンクにより基地局装置２０から移動端末装置１０に送信されるユーザデータは、上位局装置３０から伝送路インターフェース２０６を介してベースバンド信号処理部２０４に入力される。
【００７０】
ベースバンド信号処理部２０４は、PDCPレイヤの処理、ユーザデータの分割・結合、ＲＬＣ（radio  link  control）再送制御の送信処理などのＲＬＣレイヤの送信処理、ＭＡＣ（Medium  Access  Control）再送制御、例えば、HARQ（Hybrid  Automatic  Repeat  reQuest）の送信処理、スケジューリング、伝送フォーマット選択、チャネル符号化、逆高速フーリエ変換（ＩＦＦＴ：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【００７１】
また、ベースバンド信号処理部２０４は、報知チャネルにより、同一セル５０に接続する移動端末装置１０に対して、各移動端末装置１０が基地局装置２０との無線通信するための制御情報を通知する。当該セル５０における通信のための報知情報には、例えば、上りリンク又は下りリンクにおけるシステム帯域幅や、ＰＲＡＣＨにおけるランダムアクセスプリアンブルの信号を生成するためのルート系列の識別情報（Root  Sequence  Index）等が含まれる。
【００７２】
送受信部２０３は、ベースバンド信号処理部２０４から出力されたベースバンド信号を無線周波数帯に周波数変換する。アンプ部２０２は周波数変換された送信信号を増幅して送受信アンテナ２０１へ出力する。
【００７３】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００７４】
ベースバンド信号処理部２０４は、上りリンクで受信したベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００７５】
呼処理部２０５は、通信チャネルの設定や解放等の呼処理や、基地局装置２０の状態管理や、無線リソースの管理を行う。
【００７６】
次に、図４を参照しながら、本実施の形態に係る移動端末装置１０の全体構成について説明する。ＬＴＥ端末もＬＴＥ-Ａ端末もハードウエアの主要部構成は同じであるので、区別せずに説明する。移動端末装置１０は、送受信アンテナ１０１と、アンプ部１０２と、送受信部１０３と、ベースバンド信号処理部１０４と、アプリケーション部１０５とを備えている。
【００７７】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００７８】
一方、上りリンクのユーザデータは、アプリケーション部１０５からベースバンド信号処理部１０４に入力される。ベースバンド信号処理部１０４においては、再送制御（Ｈ−ＡＲＱ（Hybrid  ARQ））の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２で増幅されて送受信アンテナ１０１より送信される。
【００７９】
図５は、本実施の形態に係る基地局装置２０が有するベースバンド信号処理部２０４及び一部の上位レイヤの機能ブロック図であり、主にベースバンド信号処理部２０４は送信処理部の機能ブロックを示している。図５には、最大Ｍ個（ＣＣ＃１〜ＣＣ＃Ｍ）のコンポーネントキャリア数に対応可能な基地局構成が例示されている。基地局装置２０の配下となる移動端末装置１０に対する送信データが上位局装置３０から基地局装置２０に対して転送される。
【００８０】
制御情報生成部３００は、ハイヤレイヤ・シグナリング（例えばRRCシグナリング）する上位制御信号をユーザ単位で生成する。上位制御信号は、アンカーキャリアのキャリア番号の指示、コンポーネントキャリアの追加／削減、CIFの“ON”“OFF”を要求するコマンドを含むことができる。割当てコンポーネントキャリアの中に必ずアンカーキャリアが存在するようにコンポーネントキャリアの割当てが制御される。また、アンカーキャリアでのＬＴＥと同様の動作を補償するために、アンカーキャリアに関してはCIF“ON”を要求しないルールを適用する。
【００８１】
データ生成部３０１は、上位局装置３０から転送された送信データをユーザ別にユーザデータとして出力する。
【００８２】
コンポーネントキャリア選択部３０２は、移動端末装置１０との無線通信に使用されるコンポーネントキャリアをユーザ毎に選択する。上記した通り、基地局装置２０から移動端末装置１０に対してRRCシグナリングによりコンポーネントキャリアの追加／削減を通知し、移動端末装置１０からComplete  messageを受信する。このComplete  messageの受信によって当該ユーザに対してコンポーネントキャリアの割当て（追加／削除）が確定し、確定したコンポーネントキャリアの割当てがコンポーネントキャリア選択部３０２にコンポーネントキャリアの割当て情報として設定される。コンポーネントキャリア選択部３０２にユーザ毎に設定されたコンポーネントキャリアの割当て情報にしたがって該当するコンポーネントキャリアのチャネル符号化部３０３へ上位制御信号及び送信データが割り振られる。コンポーネントキャリア選択部３０２が選択するコンポーネントキャリアにアンカーキャリアが含まれるようにコンポーネントキャリアが割り当てられる。
【００８３】
スケジューリング部３１０は、システム帯域全体の通信品質に応じて、配下の移動端末装置１０に対するコンポーンネトキャリアの割当てを制御する。スケジューリング部３１０が移動端末装置１０との通信に割当てるコンポーンネトキャリアの追加／削除を判断する。コンポーンネトキャリアの追加／削除に関する判断結果が制御情報生成部３００へ通知される。
【００８４】
スケジューリング部３１０は、各コンポーネントキャリアにおけるDCI構成（CIFの“ON”“OFF”）を決定する。各コンポーネントキャリアに適用されるDCI構成（例えば、CIFの“ON”“OFF”）を切り替える場合は、CIFの“ON”“OFF”の切り替えを制御情報生成部３００にRCCシグナリングするように要請する。
【００８５】
また、スケジューリング部３１０は、各コンポーネントキャリアＣＣ＃１〜ＣＣ＃Ｍにおけるリソース割り当てを制御している。ＬＴＥ端末ユーザとＬＴＥ−Ａ端末ユーザとを区別してスケジューリングを行う。スケジューリング部３１０は、上位局装置３０から送信データ及び再送指示が入力されると共に、上りリンクの信号を測定した受信部からチャネル推定値やリソースブロックのＣＱＩが入力される。スケジューリング部３１０は、上位局装置３０から入力された再送指示、チャネル推定値及びＣＱＩを参照しながら、上下制御信号及び上下共有チャネル信号のスケジューリングを行う。移動通信における伝搬路は、周波数選択性フェージングにより周波数ごとに変動が異なる。そこで、移動端末装置１０へのユーザデータ送信時に、各移動端末装置１０に対してサブフレーム毎に通信品質の良好なリソースブロックを割り当てる（適応周波数スケジューリングと呼ばれる）。適応周波数スケジューリングでは、各リソースブロックに対して伝搬路品質の良好な移動端末装置１０を選択して割り当てる。そのため、スケジューリング部３１０は、各移動端末装置１０からフィードバックされるリソースブロック毎のＣＱＩを用いてリソースブロックを割り当てる。また、割り当てたリソースブロックで所定のブロック誤り率を満たすＭＣＳ（符号化率、変調方式）を決定する。スケジューリング部３１０が決定したＭＣＳ（符号化率、変調方式）を満足するパラメータがチャネル符号化部３０３、３０８、３１２、変調部３０４、３０９、３１３に設定される。
【００８６】
ベースバンド信号処理部２０４は、１コンポーネントキャリア内での最大ユーザ多重数Ｎに対応したチャネル符号化部３０３、変調部３０４、マッピング部３０５を備えている。チャネル符号化部３０３は、データ生成部３０１から出力されるユーザデータ（一部の上位制御信号を含む）で構成される共有データチャネル（PDSCH）を、ユーザ毎にチャネル符号化する。変調部３０４は、チャネル符号化されたユーザデータをユーザ毎に変調する。マッピング部３０５は、変調されたユーザデータを無線リソースにマッピングする。
【００８７】
また、ベースバンド信号処理部２０４は、ユーザ固有の下り制御情報である下り共有データチャネル用制御情報を生成する下り制御情報生成部３０６と、ユーザ共通の下り制御情報である下り共通制御チャネル用制御情報を生成する下り共通チャネル用制御情報生成部３０７とを備えている。
【００８８】
下り制御情報生成部３０６は、ユーザ毎に決定したリソース割り当て情報、ＭＣＳ情報、HARQ用の情報、PUCCHの送信電力制御コマンド等から下りリンク制御信号（DCI）を生成する。このとき、ユーザに割当てられたコンポーネントキャリアのうちアンカーキャリアではＬＴＥと同様の動作を補償する下り共有データチャネル用制御情報を生成する。具体的には、CIFが付加されないDCI構成を有し、ＬＴＥで定められた規則に従って決定したサーチスペースにDCIが配置される。ユーザに割当てられたコンポーネントキャリアのうち、どのコンポーネントキャリアがアンカーキャリアであるかの情報はスケジューリング部３１０から通知される。
【００８９】
ベースバンド信号処理部２０４は、１コンポーネントキャリア内での最大ユーザ多重数Ｎに対応したチャネル符号化部３０８、変調部３０９を備えている。チャネル符号化部３０８は、下り制御情報生成部３０６及び下り共通チャネル用制御情報生成部３０７で生成される制御情報をユーザ毎にチャネル符号化する。変調部３０９は、チャネル符号化された下り制御情報を変調する。
【００９０】
また、ベースバンド信号処理部２０４は、上り共有データチャネル（PUSCH)を制御するための制御情報である上り共有データチャネル用制御情報をユーザ毎に生成する上り制御情報生成部３１１と、生成した上り共有データチャネル用制御情報をユーザ毎にチャネル符号化するチャネル符号化部３１２と、チャネル符号化した上り共有データチャネル用制御情報をユーザ毎に変調する変調部３１３とを備える。
【００９１】
上記変調部３０９、３１３でユーザ毎に変調された制御情報は制御チャネル多重部３１４で多重され、さらにインタリーブ部３１５でインタリーブされる。インタリーブ部３１５から出力される制御信号及びマッピング部３０５から出力されるユーザデータは下りチャネル信号としてＩＦＦＴ部３１６へ入力される。ＩＦＦＴ部３１６は、下りチャネル信号を逆高速フーリエ変換して周波数領域の信号から時系列の信号に変換する。サイクリックプレフィックス挿入部３１７は、下りチャネル信号の時系列信号にサイクリックプレフィックスを挿入する。なお、サイクリックプレフィクスは、マルチパス伝搬遅延の差を吸収するためのガードインターバルとして機能する。サイクリックプレフィックスが付加された送信データは、送受信部２０３に送出される。
【００９２】
図６は、移動端末装置１０が有するベースバンド信号処理部１０４の機能ブロック図であり、ＬＴＥ−ＡをサポートするＬＴＥ−Ａ端末の機能ブロックを示している。まず、移動端末装置１０の下りリンク構成について説明する。
【００９３】
無線基地局装置２０から受信データとして受信された下りリンク信号は、ＣＰ除去部４０１でＣＰが除去される。ＣＰが除去された下りリンク信号は、ＦＦＴ部４０２へ入力される。ＦＦＴ部４０２は、下りリンク信号を高速フーリエ変換（ＦＦＴ：Fast  Fourier  Transform）して時間領域の信号から周波数領域の信号に変換し、デマッピング部４０３へ入力する。デマッピング部４０３は、下りリンク信号をデマッピングし、下りリンク信号から複数の制御情報が多重された多重制御情報、ユーザデータ、上位制御信号を取り出す。なお、デマッピング部４０３によるデマッピング処理は、アプリケーション部１０５から入力される上位制御信号に基づいて行われる。デマッピング部４０３から出力された多重制御情報は、デインタリーブ部４０４でデインタリーブされる。
【００９４】
また、ベースバンド信号処理部１０４は、制御情報を復調する制御情報復調部４０５、下り共有データを復調するデータ復調部４０６及びチャネル推定部４０７を備えている。制御情報復調部４０５は、多重制御情報から下り共通制御チャネル用制御情報を復調する共通制御チャネル用制御情報復調部４０５ａと、多重制御情報から上り共有データチャネル用制御情報を復調する上り共有データチャネル用制御情報復調部４０５ｂと、多重制御情報から下り共有データチャネル用制御情報を復調する下り共有データチャネル用制御情報復調部４０５ｃとを備えている。データ復調部４０６は、ユーザデータ及び上位制御信号を復調する下り共有データ復調部４０６ａと、下り共通チャネルデータを復調する下り共通チャネルデータ復調部１４０６ｂとを備えている。
【００９５】
共通制御チャネル用制御情報復調部４０５ａは、多重制御情報（ＰＤＣＣＨ）の共通サーチスペースのブラインドデコーディング処理、復調処理、チャネル復号処理などによりユーザ共通の制御情報である共通制御チャネル用制御情報を取り出す。共通制御チャネル用制御情報は、下りリンクのチャネル品質情報（ＣＱＩ）を含んでおり、後述するマッピング部１１５に入力され、無線基地局装置２０への送信データの一部としてマッピングされる。
【００９６】
上り共有データチャネル用制御情報復調部４０５ｂは、多重制御情報（ＰＤＣＣＨ）のユーザ個別サーチスペースのブラインドデコーディング処理、復調処理、チャネル復号処理などによりユーザ固有の上り制御情報である上り共有データチャネル用制御情報を取り出す。上り共有データチャネル用制御情報は、上り共有データチャネル（ＰＵＳＣＨ）の制御に使用され、下り共通チャネルデータ復調部４０６ｂへ入力される。
【００９７】
下り共有データチャネル用制御情報復調部４０５ｃは、多重制御情報（ＰＤＣＣＨ）のユーザ個別サーチスペースのブラインドデコーディング処理、復調処理、チャネル復号処理などによりユーザ固有の下り制御信号である下り共有データチャネル用制御情報を取り出す。下り共有データチャネル用制御情報は、下り共有データチャネル（ＰＤＳＣＨ）の制御に使用され、下り共有データ復調部４０６へ入力される。
【００９８】
また、下り共有データチャネル用制御情報復調部４０５ｃは、下り共有データ復調部４０６ａで復調された上位制御信号に含まれる、ＰＤＣＣＨ及びＰＤＳＣＨに関する情報に基づいて、ユーザ固有サーチスペースのブラインドデコーディング処理を行う。
【００９９】
下り共有データ復調部４０６ａは、下り共有データチャネル用制御情報復調部４０５ｃから入力された下り共有データチャネル用制御情報に基づいて、ユーザデータや上位制御情報を取得する。上位制御情報（モード情報を含む）は、チャネル推定部４０７に出力される。下り共通チャネルデータ復調部４０６ｂｃは、上り共有データチャネル用制御情報復調部４０５ｂから入力された上り共有データチャネル用制御情報に基づいて、下り共通チャネルデータを復調する。
【０１００】
チャネル推定部４０７は、コモン参照信号を用いてチャネル推定する。推定されたチャネル変動を、共通制御チャネル用制御情報復調部４０５ａ、上り共有データチャネル用制御情報復調部４０５ｂ、下り共有データチャネル用制御情報復調部４０５ｃ及び下り共有データ復調部４０６ａに出力する。これらの復調部においては、推定されたチャネル変動及び復調用参照信号を用いて下りリンク信号を復調する。
【０１０１】
ベースバンド信号処理部１０４は、送信処理系の機能ブロックとして、データ生成部４１１、チャネル符号化部４１２、変調部４１３、ＤＦＴ部４１４、マッピング部４１５、ＩＦＦＴ部４１６、ＣＰ挿入部４１７を備えている。データ生成部４１１は、アプリケーション部１０５から入力されるビットデータから送信データを生成する。チャネル符号化部４１２は、送信データに対して誤り訂正等のチャネル符号化処理を施し、変調部４１３はチャネル符号化された送信データをＱＰＳＫ等で変調する。ＤＦＴ部４１４は、変調された送信データを離散フーリエ変換する。マッピング部４１５は、ＤＦＴ後のデータシンボルの各周波数成分を、基地局装置に指示されたサブキャリア位置へマッピングする。すなわち、データシンボルの各周波数成分を、システム帯域に相当する帯域幅を持つＩＦＦＴ部４１６のサブキャリア位置に入力し、他の周波数成分には０を設定する。ＩＦＦＴ部４１６は、システム帯域に相当する入力データを逆高速フーリエ変換して時系列データに変換し、ＣＰ挿入部４１７は時系列データに対してデータ区切りでサイクリックプレフィックスを挿入する。
【０１０２】
次に、コンポーネントキャリアの下り制御チャネルに多重されるDCI構成に対してCIFを“ON”または“OFF”する場合の動作について説明する。
【０１０３】
図９（Ａ）に示されるように、ユーザＵＥ＃１に対して３つのコンポーネントキャリアＣＣ＃１，ＣＣ＃２，ＣＣ＃３が割当てられていて、CIFが“OFF”であるものとする。図９（Ａ）に示す段階から、図９（Ｂ）に示すようにCIF“ON”へ切り替えるケースを説明する。
【０１０４】
基地局装置２０は、ユーザＵＥ＃１に割当てた３つのコンポーネントキャリアＣＣ＃１，ＣＣ＃２，ＣＣ＃３から１つをアンカーキャリアに選定する。本発明ではアンカーキャリアの選定方法は限定されない。例えば、コンポーネントキャリア番号の最若番をアンカーキャリアに選定しても良いし、アンカーキャリアとなるコンポーネントキャリア番号を周期的にシフトさせても良い。または通信品質が所要値を超えるコンポーネントキャリアからアンカーキャリアを選定しても良い。
【０１０５】
基地局装置２０は、ユーザＵＥ＃１となる移動端末装置１０に対してRRCシグナリングによりアンカーキャリアとなるコンポーネントキャリア番号を通知する。報知チャネルを用いてアンカーキャリアとなるコンポーネントキャリア番号を通知しても良い。または、通信開始時に最初のキャリアを自動的にアンカーキャリアと決めても良い。
【０１０６】
基地局装置２０では、またユーザＵＥ＃１に対する下り制御情報生成部３０６がユーザＵＥ＃１に割当てられたコンポーネントキャリアＣＣ＃１，ＣＣ＃２，ＣＣ＃３毎に下りリンク制御情報を生成する。このとき、アンカーキャリアの下り制御チャネルに多重される下りリンク制御情報（DCI）は、ＬＴＥと同様の動作を補償するため、ＬＴＥの仕様を満足する構成となるように制御される。具体的には、DCI構成はＬＴＥにしたがったフォーマットが採用され、CIFが付加されないDCIが配置されるサーチスペースもＬＴＥと同様にして決められる。
【０１０７】
基地局装置２０では、制御情報生成部３００がユーザＵＥ＃１に対する上位制御信号として、CIFの“ON”を要求するコマンドを生成する。CIFの“ON”を要求するコマンドはユーザＵＥ＃１に対するコンポーネントキャリアを選択するCC選択部３０２へ入力される。CC選択部３０２は、ユーザＵＥ＃１に対して３つのコンポーネントキャリアＣＣ＃1，ＣＣ＃２，ＣＣ＃３が割当てられていることを把握しており、ベースバンド処理部において各コンポーネントキャリアＣＣ＃１，ＣＣ＃２，ＣＣ＃３のチャネル符号化部３０３へCIFの“ON”を要求するコマンドを含んだ上位制御信号を入力する。CIFの“ON”を要求するコマンドを含んだ上位制御信号はチャネル符号化部３０３でチャネル符号化され、変調部３０４で変調される。さらに、マッピング３０５によって各コンポーネントキャリアＣＣ＃1，ＣＣ＃２，ＣＣ＃３の下り共有データチャネルにマッピングされ、ＩＦＦＴ部３１６で時間領域の信号に変換されて送信される。
【０１０８】
以上のような、RRC  reconfiguration（CIF  configuration)の通知に同期して、下り制御情報生成部３０６で生成するDCI構成もCIF構成に切り替えられる。下り制御情報生成部３０６は、CIFが付加されたDCI構成となる下り制御情報信号を生成する。図９（Ｂ）に示すように、CIFが付加されたDCI構成がユーザＵＥ＃１に割り当てられている３つのコンポーネントキャリアＣＣ＃１，ＣＣ＃２，ＣＣ＃３の下り制御チャネルに多重される。但し、アンカーキャリアの下り制御チャネルには必ずCIFが付加されていないDCIが所定のサーチスペースに配置される。
【０１０９】
図１４にDCIがPDCCHの所定領域にマッピングされるまでの処理工程が示されている。
先ず、下り制御情報生成部３０６で生成されるDCI構成について説明する。
ＬＴＥで定義されているDCI構成は、端末毎のリソース割当情報(Resource  block  assignment)、割り当てたリソースブロックのＭＣＳ情報(Modulation  and  Coding  Scheme)、もしくは，トラスポートブロック情報、端末側で生じた受信データ誤りを高効率，低遅延で訂正するために用いる，ハイブリッドARQを用いる際に必要な情報，具体的には初回送信と再送パケットを合成する際に対応するメモリ番号、すなわちHARQプロセス番号（HARQ  process  number）、新規データか再送データかを区別する識別子（New  data  indicator）、符号化系列のどの部分を送っているかを示す情報（Redundancy  version）、PUCCHの送信電力制御コマンド（TPC  for  PUCCH)を備えて構成されている。
【０１１０】
CIF構成では、上記したＬＴＥで定義されているDCIフィールド構成に追加して、キャリアインジケータフィールド（CIF）が設けられている。CIFは、DCI情報を用いて復調されるPDSCHに割り当てられたコンポーネントキャリアのキャリア番号を特定できる情報（３ビット）が設定される。
【０１１１】
図１４に示すように、チャネル符号化部３０８は、同一サブフレームに多重されるユーザ端末の下りリンク制御情報(DCI)に対し、ユーザID（UE-ID)でマスクしたCRCを付与した後、チャネル符号化する。また、各ユーザ端末の受信品質に応じて、７２、１４４、２８８、５７６ビットにレートマッチングする（７２ビット又は５７６ビットの場合、符号化率2/3,1/12に相当）。ここで、７２ビットを基本単位(CCE:Control  Channel  Element)と定義し、定義した４種類のCCE数＝｛１，２，４，８｝の中から受信品質に応じて最適なCCE数が決定される。CCE数はスケジューリング部３１０から通知される。さらに、変調部３０９においてQPSK変調後、制御チャネル多重部３１４において複数ユーザ端末の制御情報を多重する（CCE  multiplexing）。周波数ダイバーシチ効果を得るために、インタリーブ部３１５が、REG（Resource  Element  Groupの略で4REから構成される）単位でインタリーブする(CCE  interleaving)。その後、サブフレームの先頭にマッピングする。
【０１１２】
ユーザＵＥ＃１となる移動端末装置１０では、下り共有データ復調部４０６ａで上位制御信号が復調される。復調された上位制御信号はアプリケーション部１０５の上位レイヤへ渡される。アプリケーション部１０５は上位制御信号を解釈してCIFの“ON”を要求するコマンドを検出する。アプリケーション部１０５から制御情報復調部４０５へCIF“ON”への切り替えが通知される。制御情報復調部４０５はCIF“ON”への切り替えが通知されると、DCIフォーマット及びCIFビット数を加味したDCIサイズに基づいてブラインドデコーディングする。
【０１１３】
具体的には、図１５に示すように、移動端末装置１０では、デインタリーブ部４０４がサブフレーム先頭の１〜３OFDMシンボルにマッピングされたPDCCHをデインターリーブする。移動端末装置１０では、レートマッチングパラメータ（CCE数）、及びCCEの開始位置が不明であるため、CCE単位でブラインドデコーディングし、ユーザIDでマスクされたＣＲＣがＯＫとなるCCEを探索する。図１５に示される例は、CCE＃４において検出成功している。
【０１１４】
上記した通り、アンカーキャリアとなるコンポーネントキャリア番号が上位制御信号によって移動端末装置１０へ通知されている。アプリケーション部１０５は、アンカーキャリアを制御情報復調部４０５へ通知する。制御情報復調部４０５は、アンカーキャリアの下り制御チャネルからDCIを復調する場合、ＬＴＥと同様の動作でブラインドデコーディングする。アンカーキャリアでは、ＬＴＥと同様の動作が補償されているので、CIFの“ON”“OFF”の過渡期であっても、図９（Ｂ）に示すようにCIFの付加されていないDCIがＬＴＥで規定されるサーチスペースに存在する。仮に、図９（Ｂ）に示すようにCIFの付加されているDCIがアンカーキャリアの下り制御チャネルに多重されていて復号に失敗したとしても、CIFの付加されているDCIを正常に復号することができるので、PDSCHを復調することが可能になる。
【０１１５】
移動端末装置１０のデータ生成部４１１は、CIFの“ON”への切り替えを了承するComplete  messageを生成する。Complete  messageはマッピング部４１５でPUSCHにマッピングされて送信される。
【０１１６】
一方、CIF“ON”から“OFF”へ切り替える場合も、CIF“OFF”へ切り替えるコマンドの通知に同期して、下り制御情報生成部３０６で生成するDCI構成もCIFが付加されていないDCI構成に切り替えられる。この場合もアンカーキャリア（CC#1)においては、ＬＴＥと同様の動作を補償しており、ＬＴＥの仕様にしたがって決められるサーチスペースに配置されたDCI構成に変更は生じない。したがって、移動端末装置１０がCIFの付加されていないDCI構成に切り替えられる前に、CIFが付加されていないDCIを受信したとしても、アンカーキャリア（CC#1)の特定のDCIは復調することができる。
【０１１７】
図１２には、ユーザＵＥ＃１に対するコンポーネントキャリアの割り当てに変更があった場合を例示している。ユーザＵＥ＃１に対するコンポーネントキャリアのキャリアアグリゲーション数が４から２に変化している。なお、コンポーネントキャリアの削除の前後でCIF“ON”である。
【０１１８】
まず、ユーザＵＥ＃１に対して４つのコンポーネントキャリアCC０〜CC３を割当てた段階で、コンポーネントキャリア数＝４に対応したCIFテーブルがRRCシグナリングされる。ユーザＵＥ＃１の移動端末装置１０はRRCシグナリングされたCIFテーブルによってCIFのビットパターンからコンポーネントキャリア番号を特定する。図１３（Ａ）はコンポーネントキャリア数＝４に対応したCIFテーブルの構成例である。
【０１１９】
図１２に示すように、ユーザＵＥ＃１に割当てるコンポーネントキャリアを、４つのコンポーネントキャリアCC０〜CC３から２つのコンポーネントキャリアCC０、CC２へ変える。この場合、コンポーネントキャリア数＝２に対応した新たなCIFテーブルがRRCシグナリングされる。図１３（Ｂ）はコンポーネントキャリア数＝２に対応した新たなCIFテーブルの構成例である。
【０１２０】
コンポーネントキャリア数＝４に対応したCIFテーブル（図１３（Ａ））では、“０１０”がコンポーネントキャリアCC２のキャリア番号であるが、コンポーネントキャリア数＝２に対応したCIFテーブル（図１３（Ｂ））では、“００１”がコンポーネントキャリアCC２のキャリア番号となっている。したがって、CIFテーブルの変更が必要なコンポーネントキャリアの追加／削除の過渡期には、移動端末装置１０において変更前のCIFテーブルを参照することに起因するPDSCHの復調失敗が発生する。
【０１２１】
本発明は、アンカーキャリアにおいて、ＬＴＥと同様の動作を補償しているので、CIFが付加されていないDCIがＬＴＥの仕様にしたがって決められるサーチスペースに配置されている。したがって、CIFテーブルの変更を伴うコンポーネントキャリアの追加／削除の過渡期においても、CIFテーブルを参照しないので、DCIを復調することができ、安定して通信を維持できる。
【０１２２】
次に、共通サーチスペースにＬＴＥと同様の動作を補償するアンカーＤＣＩを配置した通信について具体的に説明する。
【０１２３】
図１１に示されるように、各コンポーネントキャリアの下り制御チャネルとなるPDCCHの共通サーチスペースに配置されるDCI（フォーマット１A）をアンカーＤＣＩに選定し、アンカーＤＣＩに上り／下り共有データチャネル用制御情報を設定して個別ユーザに通知する。
【０１２４】
そのため、下り制御情報生成部３０６がユーザ個別にアンカーＤＣＩを生成する。ユーザ個別に通知されるアンカーＤＣＩは、個別ユーザＩＤでＣＲＣがマスクされる（ＣＲＣと個別ユーザＩＤの排他的論理和演算によるマスク）。各コンポーネントキャリアでユーザ個別に生成されたアンカーＤＣＩは、共通サーチスペースとなる先頭２CCE（CCE#1、CCE#2）に配置される。アンカーＤＣＩにはCIF“ON”時であってもCIFは追加されないように制御する。
【０１２５】
移動端末装置１０では、共通制御チャネル用制御情報復調部４０５ａが、多重制御情報（ＰＤＣＣＨ）の共通サーチスペースをブラインドデコーディング処理する。１回のブラインドデコーディングによって、アンカーＤＣＩ（DCIフォーマット１A）とDCI（DCIフォーマット３）が復号される。ただし、アンカーＤＣＩ（DCIフォーマット１A）はユーザ個別にユーザIDでCRCがマスクされているので、CRCは２回行われる。DCIフォーマット３を復調及び復号してユーザ共通の制御情報である共通制御チャネル用制御情報が取り出される。共通制御チャネル用制御情報は、下りリンクのチャネル品質情報（ＣＱＩ）を含んでおり、後述するマッピング部１１５に入力され、基地局装置２０への送信データの一部としてマッピングされる。また、アンカーＤＣＩ（DCIフォーマット１A）を復調及び復号してユーザ個別の共有データチャネル用の下り制御情報が取り出される。下り制御情報は下り共有データ復調部４０６ａへ入力される。
【０１２６】
また、下り共有データチャネル用制御情報復調部４０５ｃは、多重制御情報（ＰＤＣＣＨ）のユーザ個別サーチスペースのブラインドデコーディング処理により、ＰＤＣＣＨのユーザ個別サーチスペースに多重して送られてくるユーザ個別の下り制御情報が取り出される。下り制御情報は下り共有データ復調部４０６ａへ入力される。
【０１２７】
下り共有データ復調部４０６ａは、共通制御チャネル用制御情報復調部４０５ａ及び下り共有データチャネル用制御情報復調部４０５ｃから入力された下り共有データチャネル用制御情報に基づいて、ユーザデータや上位制御情報を取得する。
【０１２８】
このように、共通サーチスペースにＬＴＥと同様の動作を補償するアンカーＤＣＩを配置したことにより、CIFのON/OFFが切り替えられる過渡期であっても、アンカーＤＣＩが配置された共通サーチスペースを介した通信が可能になる。
【０１２９】
なお、本発明は上記した実施の形態に限定されない。本明細書は以下の発明の開示を含む。たとえば、基地局装置は、PDSCHのRLC再送を行う際に、CIFが付いたDCIとCIFが付かないDCIといったサイズの異なる２つのDCIサイズで伝送する。そして、いずれかのDCIサイズについて正しくPDSCHが受信されたことがACK/NACKによって確認されたならば、基地局装置は、移動端末によって正しく受信されたDCIサイズ（CIFの有無）で継続してシグナリングする。
【０１３０】
また、別の方法として、移動端末が特定プリアンブルの使われたRACHプリアンブルを受信した場合、またはRACHメッセージに含まれたC-RNTI  MAC  コントロールメッセージを受信した場合、移動端末がRACH手順を使用して“complete  message”を送信するようにする。これにより、基地局装置は、移動端末に新しくCIF構成が反映されたことを容易に確認できる。
【０１３１】
また、コンポーネントキャリア毎にCIFの有無を決定し、全てのコンポーネントキャリアで同時にCIFの構成を行う必要性を排除するようにしても良い。この場合、基地局装置は、最初は一部のコンポーネントキャリアについてだけ新たにCIFの有無を設定し、他のコンポーネントキャリアではそれまでのCIFの構成（有無）を維持する。最初のCIF設定が確認された場合に、基地局装置は残りのコンポーネントキャリアについてCIFの有無を設定する。
【０１３２】
以上の方法によっても、CIFのON/OFFが切り替えられる過渡期における不安定性を解消することができる。
【符号の説明】
【０１３３】
１  移動通信システム
１０  移動端末装置
２０  基地局装置
３０  上位局装置
４０  コアネットワーク
１０１  送受信アンテナ
１０２  アンプ部
１０３  送受信部
１０４  ベースバンド信号処理部
１０５  アプリケーション部
２０１  送受信アンテナ
２０２  アンプ部
２０３  送受信部
２０４  ベースバンド信号処理部
２０５  呼処理部
２０６  伝送路インターフェース
３００  制御情報生成部
３０１  データ生成部
３０２  コンポーネントキャリア選択部
３０３、３０８、３１２  チャネル符号化部
３０４、３０９、３１３  変調部
３０５  マッピング部
３０６  下り制御情報生成部
３０７  下り共通チャネル用制御情報生成部
３１０  スケジューリング部
３１１  上り制御情報生成部
【図１】
2011166701.tif 000003
【図２】
2011166701.tif 000004
【図３】
2011166701.tif 000005
【図４】
2011166701.tif 000006
【図５】
2011166701.tif 000007
【図６】
2011166701.tif 000008
【図７】
2011166701.tif 000009
【図８】
2011166701.tif 000010
【図９】
2011166701.tif 000011
【図１０】
2011166701.tif 000012
【図１１】
2011166701.tif 000013
【図１２】
2011166701.tif 000014
【図１３】
2011166701.tif 000015
【図１４】
2011166701.tif 000016
【図１５】
2011166701.tif 000017
【図１６】
2011166701.tif 000018
【図１７】
2011166701.tif 000019